(57)【要約】【課題】アプリケーション間の優先制御を行うことができる意味情報ネットワークにおける優先制御方法を提供する。【解決手段】クライアント端末２−１がイベントを送信すると、スイッチ端末３のパケット受信手段３０がイベントを受信し，パケット格納手段３１に渡す。パケット格納手段３１は，優先度テーブルによってパケットの優先度を調べ，検索待ちキューにパケットを格納する。パケット取出し手段３２は優先度の高いキューから優先してパケットを取り出す。送信相手検索手段３３は、イベントとフィルタのマッチングを行うことによって、どのクライアント端末に送信すべきかを決定する。送信パケット格納手段３４は、優先度テーブルにより送信パケットの優先度を調べ、送信キューに格納する。送信パケット取出し手段３５は送信キューの優先度の高いキューから優先して取出し，送信パケット送信手段３６へ出力する。【選択図】    図１
2004260278.tif 000002
【特許請求の範囲】
【請求項１】
意味情報とデータとからなるイベントを送信する送信端末と、前記イベントを受信し、フィルタによって前記イベントの転送先を検索し、検索結果に従って前記イベントを転送するスイッチ端末と、前記スイッチ端末から転送された前記イベントを受信する受信端末と、前記送信端末、スイッチ端末および受信端末間を接続する通信手段とを有してなる意味情報ネットワークにおいて、
前記スイッチ端末が、予め内部の記憶手段に設定されている優先度に従って前記イベントを前記受信端末へ転送することを特徴とする意味情報ネットワークにおける優先制御方法。
【請求項２】
前記スイッチ端末は、アプリケーションに応じて優先度が設定されたテーブルを具備し、前記イベントに含まれるアプリケーション識別子に基づいて前記テーブルを検索して優先度を取得し、取得した優先度に基づいて前記イベントを前記受信端末へ転送することを特徴とする請求項１に記載の意味情報ネットワークにおける優先制御方法。
【請求項３】
前記スイッチ端末は、前記テーブルに基づいてイベントの優先度を取得した後、該イベントまたはその識別子を優先度に従って検索待ちキューに格納し、次いで、該キューに格納されたイベントまたはその識別子を優先度順に読み出し、前記フィルタに基づく転送先の検索を行い、検索結果に従って前記イベントを前記受信端末へ転送することを特徴とする請求項２に記載の意味情報ネットワークにおける優先制御方法。
【請求項４】
前記スイッチ端末は，各受信端末毎に送信待ちキューを具備し，前記転送先の検索結果および前記優先度に基づいて前記パケットまたはその識別子を前記送信待ちキューに格納し、該送信待ちキューに従って前記パケットを前記受信端末へ送信することを特徴とする請求項３に記載の意味情報ネットワークにおける優先制御方法。
【請求項５】
意味情報とデータとからなるイベントを送信する送信端末と、前記イベントを受信し、フィルタによって前記イベントの転送先を検索し、検索結果に従って前記イベントを転送するスイッチ端末と、前記スイッチ端末から転送された前記イベントを受信する受信端末と、前記送信端末、スイッチ端末および受信端末間を接続する通信手段とを有してなる意味情報ネットワークにおける前記スイッチ端末であって、
前記イベントの優先度が記憶されたテーブルと、
前記テーブル内の優先度および前記検索結果に従って前記イベントを前記受信端末へ転送する転送手段と、
を具備することを特徴とする意味情報ネットワークにおけるスイッチ端末。
【請求項６】
前記テーブルは、アプリケーションに応じて優先度が設定されており、前記転送手段は、前記イベントに含まれるアプリケーション識別子に基づいて前記テーブルを検索して優先度を取得することを特徴とする請求項５に記載の意味情報ネットワークにおけるスイッチ端末。
【請求項７】
前記転送手段は、
前記テーブルに基づいてイベントの優先度を取得した後、該イベントまたはその識別子を優先度に従って検索待ちキューに格納するパケット格納手段と、
該キューに格納されたイベントまたはその識別子を優先度順に読み出し、前記フィルタに基づく転送先の検索を行う検索手段と、
前記検索手段の検索結果に従って前記イベントを前記受信端末へ転送する送信手段と、
を具備することを特徴とする請求項６に記載の意味情報ネットワークにおけるスイッチ端末。
【請求項８】
前記送信手段は，各受信端末毎に送信待ちキューを具備し，前記転送先の検索結果および前記優先度に基づいて前記パケットまたはその識別子を前記送信待ちキューに格納し、該送信待ちキューに従って前記パケットを前記受信端末へ送信することを特徴とする請求項７に記載の意味情報ネットワークにおけるスイッチ端末。
【請求項９】
意味情報とデータとからなるイベントを送信する送信端末と、前記イベントを受信し、フィルタによって前記イベントの転送先を検索し、検索結果に従って前記イベントを転送するスイッチ端末と、前記スイッチ端末から転送された前記イベントを受信する受信端末と、前記送信端末、スイッチ端末および受信端末間を接続する通信手段とを有してなる意味情報ネットワークにおいて使用されるプログラムであって、
前記スイッチ端末を構成するコンピュータに、予め内部の記憶手段に設定されている優先度に従って前記イベントを前記受信端末へ転送する転送手順を実行させるためのプログラム。
【請求項１０】
前記転送手順は、前記イベントに含まれるアプリケーション識別子に基づいて、アプリケーションに応じて優先度が設定されたテーブルを検索して優先度を取得し、取得した優先度に基づいて前記イベントを前記受信端末へ転送する手順であることを特徴とする請求項９に記載のプログラム。
【請求項１１】
前記転送手順は、前記テーブルに基づいてイベントの優先度を取得した後、該イベントまたはその識別子を優先度に従って検索待ちキューに格納し、次いで、該キューに格納されたイベントまたはその識別子を優先度順に読み出し、前記フィルタに基づく転送先の検索を行い、検索結果に従って前記イベントを前記受信端末へ転送する手順であることを特徴とする請求項１０に記載のプログラム。
【請求項１２】
前記転送手順は，各受信端末毎に送信待ちキューを具備し，前記転送先の検索結果および前記優先度に基づいて前記パケットまたはその識別子を前記送信待ちキューに格納し、該送信待ちキューに従って前記パケットを前記受信端末へ送信する手順であることを特徴とする請求項１１に記載のプログラム。
【請求項１３】
請求項９〜請求項１２のいずれかの項に記載のプログラムを記憶したコンピュータ読み取り可能な記憶媒体。
【発明の詳細な説明】
【０００１】
【発明の属する技術分野】
本発明は，汎用的なＰ２Ｐ（Ｐｅｅｒ  ２  Ｐｅｅｒ）プラットフォームであるＳＩＯＮｅｔ（Ｓｅｍａｎｔｉｃ  Ｉｎｆｏｍａｔｉｏｎ  Ｏｒｉｅｎｔｅｄ  Ｎｅｔｗｏｒｋ；意味情報ネットワーク）を用いて構築されたネットワークに係り，特に、アプリケーション毎に優先度を設定し，該優先度に従ったパケット処理を行う意味情報ネットワークにおける優先制御方法およびそれに使用されるスイッチ端末並びにプログラムに関する．
【０００２】
【従来の技術】
まず、近年開発されたＳＩＯＮｅｔのネットワークアーキテクチャについて説明する。図３にＳＩＯＮｅｔのネットワークモデルを示す。ここで、説明の便宜上、端末５を、イベント送信者の送信端末５１とイベント受信者の受信端末５２とに区別して表記する。イベント受信者は、受信端末５２を用いて自身が受信することを希望するイベントの意味情報（受信するイベントのタイプと取得条件）をメタデータとしてＳＩＯＮｅｔ５０に登録する。これをフィルタ（Ｆｉｌｔｅｒ）と呼ぶ。一方、イベント送信者は、送信端末５１を用いてＳＩＯＮｅｔ５０にイベントを送出することにより、ＳＩＯＮｅｔ５０に刺激（Ｉｎｃｅｎｔｉｖｅ）を与える。このイベントは、図４に示すようにイベントの特性を記述した意味情報（Ｓｅｍａｎｔｉｃ  ｉｎｆｏｍａｔｉｏｎ）とデータから構成される。意味情報の定義を図５に示す。意味情報は、イベントのメタデータであり、かつ、意味情報タイプ（イベントタイプ）のインスタンスである。
【０００３】
ＳＩＯＮｅｔ５０は、イベント受信者が登録したフィルタに対して、イベント送信者が送出したイベントを照合（フィルタリング）させるための自律分散型の照合ネットワークである。照合の結果、イベントが通過した（イベントに反応した）フィルタは発火（Ｉｇｎｉｔｉｏｎ）し、対応するイベント受信者の受信端末５２が自律起動する。この仕組みにより、不特定多数の端末５の中から、対象となる端末５をスケーラブルかつリアルタイムに探索・発見することが可能になる。
【０００４】
次に、イベントタイプについて説明する。図５に、イベントのテンプレートであるイベントタイプの定義例を示す。図５に示すように、イベントタイプは、イベントタイプ名（Ｅｖｅｎｔ  ｔｙｐｅ  ｎａｍｅ）と条件名（図５においては、”Ｓｅｒｖｉｃｅ”や”ＣＰＵ  ｐｏｗｅｒ”が相当する）、およびそれぞれの条件名に対するデータ型（ＳｔｒｉｎｇやＬｏｎｇが相当する）と条件式（＝＝や＞＝が相当する）が定義されたものである。イベントタイプ名は、イベントタイプを一意に識別するための名称である。なお、イベントタイプの親タイプを継承可能である。
【０００５】
図６に示すように、イベントタイプのデータ構造に従って、イベントを作成する。イベントは、イベントタイプ名、条件名と条件値の組み合せ、および、データ部から構成される。イベントの中で定義された条件名、条件式、条件値が、イベントタイプと一致しない場合は、エラーになる。但し、イベントの中で使用される条件名は、イベントタイプのサブセットでも良い。
【０００６】
図７にフィルタの定義例を示す。フィルタは、受け付けるイベントタイプ名（Ｅｖｅｎｔ  ｔｙｐｅ  ｎａｍｅ）、属性名（図７においては、”ＣＰＵ  ｐｏｗｅｒ”や”Ａｇｅ”が相当する）と属性値（図７においては、２００や２５が相当する）のペアーから成る。受け付けるイベントタイプ名で定義されたイベントタイプに属するイベントのみが、フィルタリングの対象となる。ここには、複数のイベントタイプ名を定義することができ、さらに、ワイルドカード（＊．＊）を指定することにより、全てのイベントを対象とすることも可能である。なお、フィルタで定義された属性名が、受け付けるイベントタイプ名で定義されたイベントタイプの条件名の中に存在しない場合には、エラーとなる。但し、イベントタイプのサブセットでも良い。
【０００７】
次に、ＳＩＯＮｅｔ５０の構成を説明する。図８は、ＳＩＯＮｅｔ５０の構成を示す図である。図８に示すようにＳＩＯＮｅｔ５０は、意味情報スイッチ（Ｓｅｍａｎｔｉｃ  Ｉｎｆｏｒｍａｔｉｏｎ−Ｓｗｉｔｃｈ、図面ではＳＩ−ＳＷと図示する）、意味情報ルータ（Ｓｅｍａｎｔｉｃ  Ｉｎｆｏｒｍａｔｉｏｎ  −Ｒｏｕｔｅｒ、図面ではＳＩ−Ｒと図示する）、意味情報ゲートウェイ（Ｓｅｍａｎｔｉｃ  Ｉｎｆｏｒｍａｔｉｏｎ−Ｇｅｔａｗａｙ、図面ではＳＩ−ＧＷと図示する）から構成される。
【０００８】
意味情報スイッチ（ＳＩ−ＳＷ）は、フィルタとして登録された意味情報と、イベントに付与された意味情報を照合し、その結果、発火したイベント受信者の端末５を起動するスイッチング機構を提供する。意味情報スイッチ（ＳＩ−ＳＷ）と各端末５はスター型で結合される。
意味情報ルータ（ＳＩ−Ｒ）は、意味情報スイッチ間のイベント経路選択を行うとともに、端末５から意味情報スイッチに対して送出されたイベントを他の意味情報スイッチに転送する役割を担う。これは、意味情報に基づく動的なイべントルーティングにより達成される。
【０００９】
意味情報ゲートウェイ（ＳＩ−ＧＷ）は、イベントプレース（Ｅｖｅｎｔ  ｐｌａｃｅ）間でのイベントの転送を行う。ここで、イベントプレースは、共通の意味情報空間を保証する最小単位（オントロジードメイン）である。イベントプレース内では、イベントタイプの名称、概念、語彙、意味、関連などのオントロジー体系の一意性が保証され、共通のオントロジーに基づいて意味情報が記述されることになる。基本的には、イベント送信者の端末５から送出したイベントは、イベントプレース内のみで流通するが、意味情報ゲートウェイ（ＳＩ−ＧＷ）を介することにより、異なるオントロジー体系を有するイベントプレース間でのイベントの相互流通が可能になる。このとき、意味情報ゲートウェイ（ＳＩ−ＧＷ）はイベントのオントロジー変換を行った後、異なるイベントプレースヘイベントを転送する。
以上がＳＩＯＮｅｔの概略である。なお、特許文献１に上述したＳＩＯＮｅｔについて詳細に記載されている。
【００１０】
【特許文献１】
特開２００２−９４５６１号公報
【００１１】
【発明が解決しようとする課題】
ところで、上述したＳＩＯＮｅｔでは，制御用パケットと一般アプリケーション用パケットは別系統で処理を行っており，これらのパケット間での優先制御は行われているが，一般アプリケーション用パケットは全て同等に扱われており，アプリケーション間での優先制御は行われていない．ところが，ＳＩＯＮｅｔ上には様々なアプリケーションが構築され，各々のアプリケーションに要求されるリアルタイム性の度合いはそれぞれ異なるため，アプリケーション間での優先制御が必要である．
【００１２】
本発明は，このような事情に鑑みてなされたもので、その目的は、アプリケーション間の優先制御を行うことができる意味情報ネットワークにおける優先制御方法およびそれに使用されるスイッチ端末並びにプログラムを提供することにある。
【００１３】
【課題を解決するための手段】
この発明は上記の課題を解決すべくなされたもので、請求項１に記載の発明は、意味情報とデータとからなるイベントを送信する送信端末と、前記イベントを受信し、フィルタによって前記イベントの転送先を検索し、検索結果に従って前記イベントを転送するスイッチ端末と、前記スイッチ端末から転送された前記イベントを受信する受信端末と、前記送信端末、スイッチ端末および受信端末間を接続する通信手段とを有してなる意味情報ネットワークにおいて、前記スイッチ端末が、予め内部の記憶手段に設定されている優先度に従って前記イベントを前記受信端末へ転送することを特徴とする意味情報ネットワークにおける優先制御方法である。
【００１４】
請求項２に記載の発明は、請求項１に記載の意味情報ネットワークにおける優先制御方法において、前記スイッチ端末は、アプリケーションに応じて優先度が設定されたテーブルを具備し、前記イベントに含まれるアプリケーション識別子に基づいて前記テーブルを検索して優先度を取得し、取得した優先度に基づいて前記イベントを前記受信端末へ転送することを特徴とする。
【００１５】
請求項３に記載の発明は、請求項２に記載の意味情報ネットワークにおける優先制御方法において、前記スイッチ端末は、前記テーブルに基づいてイベントの優先度を取得した後、該イベントまたはその識別子を優先度に従って検索待ちキューに格納し、次いで、該キューに格納されたイベントまたはその識別子を優先度順に読み出し、前記フィルタに基づく転送先の検索を行い、検索結果に従って前記イベントを前記受信端末へ転送することを特徴とする。
【００１６】
請求項４に記載の発明は、請求項３に記載の意味情報ネットワークにおける優先制御方法において、前記スイッチ端末は，各受信端末毎に送信待ちキューを具備し，前記転送先の検索結果および前記優先度に基づいて前記パケットまたはその識別子を前記送信待ちキューに格納し、該送信待ちキューに従って前記パケットを前記受信端末へ送信することを特徴とする。
【００１７】
請求項５に記載の発明は、意味情報とデータとからなるイベントを送信する送信端末と、前記イベントを受信し、フィルタによって前記イベントの転送先を検索し、検索結果に従って前記イベントを転送するスイッチ端末と、前記スイッチ端末から転送された前記イベントを受信する受信端末と、前記送信端末、スイッチ端末および受信端末間を接続する通信手段とを有してなる意味情報ネットワークにおける前記スイッチ端末であって、前記イベントの優先度が記憶されたテーブルと、前記テーブル内の優先度および前記検索結果に従って前記イベントを前記受信端末へ転送する転送手段とを具備することを特徴とする意味情報ネットワークにおけるスイッチ端末である。
【００１８】
請求項６に記載の発明は、請求項５に記載の意味情報ネットワークにおけるスイッチ端末において、前記テーブルは、アプリケーションに応じて優先度が設定されており、前記転送手段は、前記イベントに含まれるアプリケーション識別子に基づいて前記テーブルを検索して優先度を取得することを特徴とする。
【００１９】
請求項７に記載の発明は、前記転送手段は、請求項６に記載の意味情報ネットワークにおけるスイッチ端末において、前記テーブルに基づいてイベントの優先度を取得した後、該イベントまたはその識別子を優先度に従って検索待ちキューに格納するパケット格納手段と、該キューに格納されたイベントまたはその識別子を優先度順に読み出し、前記フィルタに基づく転送先の検索を行う検索手段と、前記検索手段の検索結果に従って前記イベントを前記受信端末へ転送する送信手段とを具備することを特徴とする。
【００２０】
請求項８に記載の発明は、請求項７に記載の意味情報ネットワークにおけるスイッチ端末において、前記送信手段は，各受信端末毎に送信待ちキューを具備し，前記転送先の検索結果および前記優先度に基づいて前記パケットまたはその識別子を前記送信待ちキューに格納し、該送信待ちキューに従って前記パケットを前記受信端末へ送信することを特徴とする。
【００２１】
請求項９に記載の発明は、意味情報とデータとからなるイベントを送信する送信端末と、前記イベントを受信し、フィルタによって前記イベントの転送先を検索し、検索結果に従って前記イベントを転送するスイッチ端末と、前記スイッチ端末から転送された前記イベントを受信する受信端末と、前記送信端末、スイッチ端末および受信端末間を接続する通信手段とを有してなる意味情報ネットワークにおいて使用されるプログラムであって、前記スイッチ端末を構成するコンピュータに、予め内部の記憶手段に設定されている優先度に従って前記イベントを前記受信端末へ転送する転送手順を実行させるためのプログラムである。
【００２２】
請求項１０に記載の発明は、請求項９に記載のプログラムにおいて、前記転送手順は、前記イベントに含まれるアプリケーション識別子に基づいて、アプリケーションに応じて優先度が設定されたテーブルを検索して優先度を取得し、取得した優先度に基づいて前記イベントを前記受信端末へ転送する手順であることを特徴とする。
【００２３】
請求項１１に記載の発明は、請求項１０に記載のプログラムにおいて、前記転送手順は、前記テーブルに基づいてイベントの優先度を取得した後、該イベントまたはその識別子を優先度に従って検索待ちキューに格納し、次いで、該キューに格納されたイベントまたはその識別子を優先度順に読み出し、前記フィルタに基づく転送先の検索を行い、検索結果に従って前記イベントを前記受信端末へ転送する手順であることを特徴とする。
【００２４】
請求項１２に記載の発明は、請求項１１に記載のプログラムにおいて、前記転送手順は，各受信端末毎に送信待ちキューを具備し，前記転送先の検索結果および前記優先度に基づいて前記パケットまたはその識別子を前記送信待ちキューに格納し、該送信待ちキューに従って前記パケットを前記受信端末へ送信する手順であることを特徴とする。
請求項１３に記載の発明は、請求項９〜請求項１２のいずれかの項に記載のプログラムを記憶したコンピュータ読み取り可能な記憶媒体である。
【００２５】
【発明の実施の形態】
以下、図面を参照し、この発明の実施の形態について説明する。図１はこの発明の一実施の形態によるＳＩＯＮｅｔ（意味情報ネットワーク）のシステム構成図であり，図２はＳＩＯＮｅｔスイッチ端末３の動作を説明するための説明図である。
【００２６】
図１において，ＳＩＯＮｅｔ１は，ＳＩＯＮｅｔクライアント端末２−１，２−２，２−３およびＳＩＯＮｅｔスイッチ端末３を有している。ＳＩＯＮｅｔクライアント端末２−１は，複数のアプリケーション２１−１，２１−２，…２１−ｎが動作しており，これらはパケット送信／受信手段２０を通してＳＩＯＮｅｔスイッチ端末３ヘパケットを送信し、また、ＳＩＯＮｅｔスイッチ端末３からパケット受信を行うことが可能である。このような構造はＳＩＯＮｅｔクライアント端末２−２，…２−ｎにおいても同様である。
【００２７】
ＳＩＯＮｅｔスイッチ端末３は，パケット受信手段３０、パケット格納手段３１、パケット取出し手段３２、送信相手検索手段３３、送信パケット格納手段３４、送信パケット取出し手段３５、送信パケット送信手段３６を有しており、これらの手段によってクライアント端末２−１〜２−ｎから送信されたパケットの処理を行う。以下、このＳＩＯＮｅｔスイッチ端末３について図２を参照して説明する。
【００２８】
図２において，４はＳＩＯＮｅｔクライアント端末２−１から送信される送信パケットであり，図に示すように、アプリケーション識別ＩＤ、検索条件および送信データを含んでいる。この送信パケット４は前述したイベント（図４参照）であり、アプリケーション識別ＩＤは、例えば、図５における「Ｅｖｅｎｔ  ｔｙｐｅ  ｎａｍｅ」の欄に設定される。
ＳＩＯＮｅｔスイッチ端末３は，クライアント端末２−１から送信されたパケットをバケット受信手段３０により受信し，パケット格納手段３１に渡す。パケット格納手段３１は，受信パケット４のアプリケーション識別ＩＤを用い，予め設定されている優先度テーブル１０によって概パケットの優先度を調べ，優先度別検索待ちキュー６の該当する優先度キューにパケットを格納する。
【００２９】
優先度別検索待ちキュー６に格納されたパケットは，パケット取出し手段３２により優先度の高いキューから優先して取出され，送信相手検索手段３３に送られる。送信相手検索手段３３は、イベントとフィルタのマッチングを行うことによって、どのクライアント端末に送信すべきかを決定し、送信パケット４と共に送信すべきクライアント端末１〜ｍを羅列した送信相手検索結果７を送信パケット格納手段３４へ出力する。
【００３０】
送信パケット格納手段３４は、送信相手検索手段３３から渡された送信パケットについて、パケット格納手段３１と同様の方法で、優先度テーブル１０により該パケットの優先度を調べ，送信相手検索結果７に記述された全てのクライアント端末宛送信キュー８−１，８−２，・・・，８−ｍの該当する優先度キューに送信パケットを格納する。クライアント端末宛送信キュー８−１〜８−ｍに格納されたパケットは，送信パケット取出し手段３５により優先度の高いキューから優先して取出され，送信パケット送信手段３６により該当クライアント端末ヘ送信される。
【００３１】
なお、上記実施形態においては、アプリケーション数と優先度数が一致しているが、必ずしも一致させる必要はない。例えば、アプリケーション数が「５」、優先度数が「３」でもよい。この場合、優先度別検索待ちキュー６を３個用意しておくことになる。
【００３２】
【発明の効果】
以上説明したように、この発明によれば、汎用Ｐ２ＰプラットフォームＳＩＯＮｅｔ上に多様なアプリケーションが構築された場合に、各アプリケーションの要求するリアルタイム性の度合いに応じてパケットの処理に優先度を設けることが可能であり，これにより、リアルタイム性の高いアプリケーションのレスポンス速度を向上させることができるという効果が得られれる。
【図面の簡単な説明】
【図１】この発明の第１の実施形態によるＳＩＯＮｅｔ（意味情報ネットワーク）のシステム構成を示すブロック図である。
【図２】図１におけるＳＩＯＮｅｔスイッチ端末３の動作を説明するための説明図である。
【図３】従来のＳＩＯＮｅｔのシステム構成を示すブロック図である。
【図４】従来のＳＩＯＮｅｔにおけるイベントの構成例を示す図である。
【図５】従来のＳＩＯＮｅｔにおけるイベントタイプの構成例を示す図である。
【図６】従来のＳＩＯＮｅｔにおけるイベントの詳細な構成例を示す図である。
【図７】従来のＳＩＯＮｅｔにおけるフィルタの構成例を示す図である。
【図８】従来のＳＩＯＮｅｔのさらに具体的なシステム構成を示すブロック図である。
【符号の説明】
１…ＳＩＯＮｅｔ
２−１〜２−ｎ…クライアント端末
３…ＳＩＯＮｅｔスイッチ端末
４…送信パケット
２１−１，２１−２，２１−３…アプリケーション
３０：パケット受信手段
３１：パケット格納手段
３２：パケット取出し手段
３３：送信相手検索手段
３４：送信パケット格納手段
３５：送信パケット取出し手段
３６：送信パケット送信手段
【図１】
2004260278.tif 000003
【図２】
2004260278.tif 000004
【図３】
2004260278.tif 000005
【図４】
2004260278.tif 000006
【図５】
2004260278.tif 000007
【図６】
2004260278.tif 000008
【図７】
2004260278.tif 000009
【図８】
2004260278.tif 000010